(57)【要約】【課題】目的とする情報を見つけ易い管理システムを提供する。【解決手段】管理システムは、監視対象に関する情報のキーワード、監視対象の中の管理ポイントのいずれかを表すノードの情報を記憶する記憶部１２と、記憶部１２に記憶されているノードの情報に基づいて、複数のノードを接続したマップの情報を作成するマップ作成部１０と、マップ作成部１０によって作成されたマップの情報に応じたマップ画面を表示する表示部２０とを備えている。【選択図】  図１
2020177379.tif 000002
【特許請求の範囲】
【請求項１】
監視対象に関する情報のキーワード、前記監視対象の中の管理ポイントのいずれかを表すノードの情報を記憶するように構成された記憶部と、
前記記憶部に記憶されているノードの情報に基づいて、複数のノードを接続したマップの情報を作成するように構成されたマップ作成部と、
前記マップ作成部によって作成されたマップの情報に応じたマップ画面を表示するように構成された表示部とを備え、
前記記憶部に記憶されているノードの情報は、ノードの名称とノードが有する値の情報とを含むノード構成情報を少なくとも含み、
前記マップ作成部は、ノード毎に名称が表示されるように前記マップの情報を作成すると共に、ノードが値を有する場合にノードの値が表示されるように前記マップの情報を作成することを特徴とする管理システム。
【請求項２】
請求項１記載の管理システムにおいて、
前記記憶部に記憶されているノードの情報は、親ノードを示す情報と子ノードを示す情報とを含むノード参照情報を少なくとも含み、
前記マップ作成部は、前記記憶部に記憶されているノードの情報に基づいて、複数のノードを接続したマップの情報を作成することを特徴とする管理システム。
【請求項３】
請求項２記載の管理システムにおいて、
前記マップ作成部は、操作者によって前記マップ画面上の特定のノードが中心ノードとして指定されたときに、前記記憶部に記憶されているノードの情報に基づいて、前記特定のノードが中心ノードになるように前記マップの情報を更新することを特徴とする管理システム。
【請求項４】
請求項１乃至３のいずれか１項に記載の管理システムにおいて、
前記マップ作成部は、操作者によって前記マップ画面上の特定のノードが選択されて折り畳みが指定されたときに、前記特定のノードよりも下の階層の表示が省略されるように前記マップの情報を更新することを特徴とする管理システム。
【請求項５】
請求項２記載の管理システムにおいて、
前記ノード参照情報は、仮想ノードとして親ノードを参照する場合の親ノードを示す情報を含み、
前記マップ作成部は、操作者によって前記マップ画面上の特定のノードの別の親ノードを中心ノードに切り替えるように指定されたときに、前記ノード参照情報で前記特定のノードが仮想ノードとして定義されている場合に、前記特定のノードが仮想ノードとして参照する親ノードが中心ノードになるように前記マップの情報を更新することを特徴とする管理システム。
【請求項６】
請求項２記載の管理システムにおいて、
前記マップ作成部は、操作者によって前記マップ画面上の特定のノードと同じ名称を有する別のノードの親ノードを中心ノードに切り替えるように指定されたときに、前記記憶部に記憶されているノードの情報に基づいて、前記特定のノードと同じ名称を有する別のノードの親ノードが中心ノードになるように前記マップの情報を更新することを特徴とする管理システム。
【請求項７】
請求項１乃至６のいずれか１項に記載の管理システムにおいて、
前記ノード構成情報は、処理実行のための処理ノードの情報を含み、
操作者によって前記マップ画面上の処理ノードに対して処理実行が要求されたときに、前記記憶部に記憶されている処理ノードの情報で定義された処理を実行するように構成された画面操作処理部をさらに備えることを特徴とする管理システム。
【請求項８】
請求項７記載の管理システムにおいて、
前記画面操作処理部は、操作者による前記処理ノードに対する操作に応じて、この処理ノードに対応する管理ポイントの値を変更するように前記監視対象の監視・制御システムに対して指示する指示情報を送信することを特徴とする管理システム。
【請求項９】
請求項１乃至８のいずれか１項に記載の管理システムにおいて、
監視対象の監視・制御システムから送信された管理ポイントのデータに応じて、この管理ポイントに対応するノードが有する値を更新するように構成された情報管理部をさらに備え、
前記マップ作成部は、前記ノードが有する値の更新に応じて、前記マップの情報を更新することを特徴とする管理システム。
【発明の詳細な説明】
【技術分野】
【０００１】
本発明は、例えばエネルギー管理システムなどの管理システムに関するものである。
【背景技術】
【０００２】
エネルギー管理システムなどのシステムでは、監視・管理操作を行う際に、監視・管理対象の物理的な構造から情報を参照したり、エネルギーの種別などの監視・管理のグループを定義して情報の参照を行えるようにしたりしている。
しかしながら、従来の方法では、現在のシステムの構成情報を変更したり、新たに階層的な構造を作成し、新たな情報グループを作成するための設定を実施したりすることが難しいという課題があった。
【０００３】
このような課題を解決する方法として、情報をツリー表示するツリー構造表示方法が提案されている（特許文献１参照）。
しかしながら、特許文献１に開示されたツリー構造表示方法においても、以下のような課題があった。
【０００４】
（I）操作者毎にシステム内で参照すべき情報や情報階層が異なる場合があり、その場合に、情報階層が深すぎたり、操作者が対象とする階層構造と異なったり、操作者が対象とする情報以外のデータが表示されたりして、操作者の目的とする情報が見つけ辛い。
（II）操作者が情報を参照した結果として、実施すべき操作があった際に、システム内での適切な操作を見つけ辛い。
（III）システム内で別の階層構造に表示される同一データ間の関連が分からず、別の観点でのデータに辿りつき辛い。
【先行技術文献】
【特許文献】
【０００５】
【特許文献１】特許第４７１０４５９号明細書
【発明の概要】
【発明が解決しようとする課題】
【０００６】
本発明は、上記課題を解決するためになされたもので、目的とする情報を見つけ易い管理システムを提供することを目的とする。
【課題を解決するための手段】
【０００７】
本発明の管理システムは、監視対象に関する情報のキーワード、前記監視対象の中の管理ポイントのいずれかを表すノードの情報を記憶するように構成された記憶部と、前記記憶部に記憶されているノードの情報に基づいて、複数のノードを接続したマップの情報を作成するように構成されたマップ作成部と、前記マップ作成部によって作成されたマップの情報に応じたマップ画面を表示するように構成された表示部とを備え、前記記憶部に記憶されているノードの情報は、ノードの名称とノードが有する値の情報とを含むノード構成情報を少なくとも含み、前記マップ作成部は、ノード毎に名称が表示されるように前記マップの情報を作成すると共に、ノードが値を有する場合にノードの値が表示されるように前記マップの情報を作成することを特徴とするものである。
【０００８】
また、本発明の管理システムの１構成例において、前記記憶部に記憶されているノードの情報は、親ノードを示す情報と子ノードを示す情報とを含むノード参照情報を少なくとも含み、前記マップ作成部は、前記記憶部に記憶されているノードの情報に基づいて、複数のノードを接続したマップの情報を作成することを特徴とするものである。
また、本発明の管理システムの１構成例において、前記マップ作成部は、操作者によって前記マップ画面上の特定のノードが中心ノードとして指定されたときに、前記記憶部に記憶されているノードの情報に基づいて、前記特定のノードが中心ノードになるように前記マップの情報を更新することを特徴とするものである。
また、本発明の管理システムの１構成例において、前記マップ作成部は、操作者によって前記マップ画面上の特定のノードが選択されて折り畳みが指定されたときに、前記特定のノードよりも下の階層の表示が省略されるように前記マップの情報を更新することを特徴とするものである。
また、本発明の管理システムの１構成例において、前記ノード参照情報は、仮想ノードとして親ノードを参照する場合の親ノードを示す情報を含み、前記マップ作成部は、操作者によって前記マップ画面上の特定のノードの別の親ノードを中心ノードに切り替えるように指定されたときに、前記ノード参照情報で前記特定のノードが仮想ノードとして定義されている場合に、前記特定のノードが仮想ノードとして参照する親ノードが中心ノードになるように前記マップの情報を更新することを特徴とするものである。
【０００９】
また、本発明の管理システムの１構成例において、前記マップ作成部は、操作者によって前記マップ画面上の特定のノードと同じ名称を有する別のノードの親ノードを中心ノードに切り替えるように指定されたときに、前記記憶部に記憶されているノードの情報に基づいて、前記特定のノードと同じ名称を有する別のノードの親ノードが中心ノードになるように前記マップの情報を更新することを特徴とするものである。
また、本発明の管理システムの１構成例において、前記ノード構成情報は、処理実行のための処理ノードの情報を含み、操作者によって前記マップ画面上の処理ノードに対して処理実行が要求されたときに、前記記憶部に記憶されている処理ノードの情報で定義された処理を実行するように構成された画面操作処理部をさらに備えることを特徴とするものである。
また、本発明の管理システムの１構成例において、前記画面操作処理部は、操作者による前記処理ノードに対する操作に応じて、この処理ノードに対応する管理ポイントの値を変更するように前記監視対象の監視・制御システムに対して指示する指示情報を送信することを特徴とするものである。
また、本発明の管理システムの１構成例は、監視対象の監視・制御システムから送信された管理ポイントのデータに応じて、この管理ポイントに対応するノードが有する値を更新するように構成された情報管理部をさらに備え、前記マップ作成部は、前記ノードが有する値の更新に応じて、前記マップの情報を更新することを特徴とするものである。
【発明の効果】
【００１０】
本発明によれば、監視対象に関する情報のキーワード、監視対象の中の管理ポイントのいずれかを表すノードの情報を記憶する記憶部と、記憶部に記憶されているノードの情報に基づいて、複数のノードを接続したマップの情報を作成するマップ作成部と、マップ作成部によって作成されたマップの情報に応じたマップ画面を表示する表示部とを設けることにより、従来よりも目的とする情報を見つけ易い管理システムを実現することができる。
【図面の簡単な説明】
【００１１】
【図１】図１は、本発明の実施例に係る管理システムの構成を示すブロック図である。
【図２】図２は、本発明の実施例に係る管理システムの動作を説明するフローチャートである。
【図３】図３は、本発明の実施例におけるマップの作成方法を説明する図である。
【図４】図４は、本発明の実施例におけるマップ画面の例を示す図である。
【図５】図５は、本発明の実施例において操作者から中心ノードの指定があった場合のマップ更新について説明する図である。
【図６】図６は、本発明の実施例における別のマップ画面の例を示す図である。
【図７】図７は、本発明の実施例における処理ノードについて説明する図である。
【図８】図８は、本発明の実施例において処理ノードを追加したマップ画面の例を示す図である。
【図９】図９は、本発明の実施例における仮想ノードについて説明する図である。
【図１０】図１０は、本発明の実施例における仮想ノードを利用した例を説明する図である。
【図１１】図１１は、本発明の実施例における仮想ノードを利用した別の例を説明する図である。
【図１２】図１２は、本発明の実施例において操作者から中心ノードの指定があった場合のマップ更新について説明する図である。
【図１３】図１３は、本発明の実施例において操作者から別のノードの親ノードを中心ノードに切り替える指定があった場合のマップ更新について説明する図である。
【図１４】図１４は、本発明の実施例において操作者から別のノードの親ノードを中心ノードに切り替える指定があった場合の切り替え後のマップ画面を示す図である。
【図１５】図１５は、本発明の実施例に係る監視装置を実現するコンピュータの構成例を示すブロック図である。
【発明を実施するための形態】
【００１２】
［発明の原理］
本発明は、マインドマップ（登録商標）を監視・管理操作画面に用いることにより、上記課題を解決したものである。
【００１３】
［実施例］
以下、本発明の実施例について図面を参照して説明する。図１は本発明の実施例に係る管理システムの構成を示すブロック図である。管理システムは、監視装置１と操作端末２と監視・制御システム３とから構成される。監視装置１と操作端末２と監視・制御システム３とは、通信ネットワーク４を介して互いに接続されている。
【００１４】
監視装置１は、監視対象に関する情報のキーワード、前記監視対象の中の管理ポイントのいずれかを表す複数のノードを接続したマップを作成するマップ作成部１０と、マップに対する操作者の操作に応じた処理を行う画面操作処理部１１と、監視装置１のプログラムおよびノードの情報を記憶する記憶部１２と、外部との通信のための通信処理部１３と、記憶部１２に記憶されているノードの情報を管理する情報管理部１４とを備えている。
【００１５】
操作端末２は、操作者に対して情報を表示する表示部２０と、操作部２１と、操作端末２のプログラムを記憶する記憶部２２と、外部との通信のための通信処理部２３とを備えている。
【００１６】
監視・制御システム３は、監視対象（例えば建物やプラントなど）の設備機器５を制御すると共に、監視対象の管理ポイントのデータを監視装置１に送信する。監視・制御システム３は、監視対象の管理ポイントのデータを収集する収集部３０と、監視対象の設備機器５を制御する制御部３１と、監視・制御システム３のプログラムを記憶する記憶部３２と、外部との通信のための通信処理部３３と、監視対象の情報を管理する情報管理部３４とから構成される。
【００１７】
図２は管理システムの動作を説明するフローチャートである。監視装置１の情報管理部１４は、監視・制御システム３の収集部３０によって収集された監視対象の管理ポイントのデータを通信処理部１３を介して受信すると、このデータに基づいて、記憶部１２に記憶されているノードの情報を更新する。このとき、収集部３０は、管理ポイントに対応する監視・制御システムタグ名を、記憶部３２のタグリストから取得し、取得した監視・制御システムタグ名を管理ポイントのデータに付加して監視装置１に送信する。
【００１８】
上記のとおり、本発明におけるマップとは、監視対象に関する情報のキーワード、監視対象の中の管理ポイントのいずれかを表す複数のノードを、予め定められたノード間の関係性に基づいて線で接続したものである。管理ポイントとしては、例えば電力、室温、湿度、設定温度、水道使用量、ガス使用量などがある。
【００１９】
記憶部１２に記憶されているノード構成情報としては、各ノードに固有のノードＩＤ、後述する先頭ノード、処理ノード、仮想ノードなどのノードタイプを示すノードタイプ情報、ノード名称、ノードに対応する監視対象の管理ポイントの名称を示す監視・制御システムタグ名、ノードが有する値、処理ノードの場合の処理を定義する処理定義情報などがある。以上のノード構成情報がノード毎に記憶部１２に記憶されている。
【００２０】
記憶部１２に記憶されているノード参照情報としては、親ノードのＩＤを示す参照元ノードＩＤと、子ノードのＩＤを示す参照先ノードＩＤと、参照タイプ情報とがある。参照タイプとしては、自ノードが実ノードとして親ノードを参照する実ノード参照（初期状態でマップに表示される参照関係）と、後述のように自ノードが仮想ノードとして親ノードを参照する仮想ノード参照とがある。
【００２１】
なお、後述のように仮想ノードは、既に定義済みの実ノードを仮想ノードとして定義するものである。したがって、仮想ノードとして定義したノードについては、自ノードが実ノードとして親ノードを参照する場合の参照元ノードＩＤと、自ノードが仮想ノードとして親ノードを参照する場合の参照元ノードＩＤの両方が定義される。以上のノード参照情報がノード毎に記憶部１２に記憶されている。
【００２２】
ノード構成情報、ノード参照情報は、操作者が操作端末２の操作部２１を操作することで設定・更新が可能である。具体的には、操作者が入力した内容が操作端末２から監視装置１に送信され、監視装置１の情報管理部１４は、操作者が入力した内容に応じてノード構成情報、ノード参照情報を設定・更新する。
【００２３】
上記のとおり監視・制御システム３から送信される管理ポイントのデータには、監視・制御システムタグ名が付加されている。監視装置１の情報管理部１４は、この監視・制御システムタグ名に対応するノードが有する値を、監視・制御システム３から送信されたデータの値に更新する。情報管理部１４は、このような情報更新を常時行っている。
【００２４】
管理システムの操作者は、マップを参照するために、操作端末２を操作して監視装置１にアクセスする。
監視装置１のマップ作成部１０は、操作端末２からのアクセスに応じて、記憶部１２に記憶されているノード構成情報およびノード参照情報に基づいて、マップを表示するためのマップ情報を作成する（図２ステップＳ１）。
【００２５】
各ノードの中には、先頭ノードが１つ存在する。先頭ノードはノードタイプ情報によって予め定義されている。
マップ作成部１０は、操作端末２からマップの中心ノードが指定されなかった場合、先頭ノードを中心ノードとしてマップ情報を作成する。
【００２６】
図３の（ａ）に示すように、マップは、ノードＮＯＤと、ノードＮＯＤと親ノードまたは子ノードとを接続する線状のリンクＬとから構成される。マップ作成部１０は、ノードＮＯＤの情報として、ノード名称と、ノードＮＯＤが有する値（ノード構成情報で値が定義されている場合）とが表示されるようにマップ情報を作成する。
【００２７】
ノードＮＯＤ−ＢをノードＮＯＤ−Ａの子ノードとして接続する場合には、図３の（ｂ）に示すように、ノードＮＯＤ−ＡとノードＮＯＤ−ＢとをノードＮＯＤ−ＡからノードＮＯＤ−ＢへのリンクＬ−ＡＢで接続する。マップ作成部１０は、ノード参照情報に基づいて、親ノードと子ノード間が接続されるようにマップ情報を作成する。
【００２８】
マップには、必ず１つの中心ノードが存在する。マップ作成部１０は、図３の（ｃ）に示すように中心ノードＮＯＤ−Ｏからマップ情報の作成を開始し、中心ノードＮＯＤ−Ｏとその子ノードＮＯＤＡとがノードＮＯＤ−ＯからノードＮＯＤ−ＡへのリンクＬ−ＯＡで接続され、ノードＮＯＤ−Ａとその子ノードＮＯＤ−ＢとがノードＮＯＤ−ＡからノードＮＯＤ−ＢへのリンクＬ−ＡＢで接続されるように、マップ情報を作成する。マップ作成部１０は、上記のとおり操作端末２からマップの中心ノードが指定されなかった場合には、予め定められた先頭ノードを中心ノードとしてマップ情報を作成する。
【００２９】
マップ作成部１０によって作成されたマップ情報は、通信処理部１３を介して操作端末２に送信される。
操作端末２の表示部２０は、通信処理部２３を介してマップ情報を受信すると、このマップ情報に応じたマップ画面を表示する（図２ステップＳ２）。
【００３０】
図４はマップ画面の例を示す図である。図４に示すマップ画面４０の例では、ＸＸビルのエネルギー監視というシステムにおいて、“ＸＸビル”という名称の中心ノードＮＯＤ−Ｏから、“エネルギー種別”、“建物・区画”、“エネルギー用途”という視点の異なる子ノードＮＯＤを定義し、必要に応じ更にその下に子ノードＮＯＤを設け、最下層にデータを持つノードＮＯＤを定義して、システム全体をいろいろな視点で参照可能としている。
【００３１】
操作端末２の操作部２１に対する操作者の操作情報は、通信処理部２３を介して監視装置１に送信される。
監視装置１の画面操作処理部１１は、通信処理部１３を介して受信した操作情報により、マップ画面に対する操作が行われたことを認識すると（図２ステップＳ３においてＹＥＳ）、操作者の要求に応じた処理を実行する（図２ステップＳ４）。
画面操作処理部１１は、操作者の要求により、ノード構成情報、ノード参照情報の更新が必要になった場合には、情報管理部１４を通じてノード構成情報、ノード参照情報を更新する（ステップＳ４）。
【００３２】
また、画面操作処理部１１は、操作者の要求により、監視・制御システム３に対する指示（設定値の変更など）が必要になった場合には、操作者の要求に応じた指示情報を通信処理部１３を介して監視・制御システム３に送信する（ステップＳ４）。
このとき、指示情報には、例えば操作者によって操作されたノードに対応する監視対象の管理ポイントの名称を示す監視・制御システムタグ名と、操作者によって変更されたノードの値（設定値など）等が含まれる。
【００３３】
監視・制御システム３の制御部３１は、収集部３０によって収集された監視対象の管理ポイントのデータを基に、管理ポイントの値が所望の値になるように（設定値と一致するように）、設備機器５を制御する。
監視・制御システム３の情報管理部３４は、通信処理部３３を介して監視装置１から指示情報を受信すると、指示情報に含まれる監視・制御システムタグ名を基に記憶部３２のタグリストを参照して、監視・制御システムタグ名に対応する管理ポイントを特定する。そして、情報管理部３４は、特定した管理ポイントの値を、指示情報に含まれるノードの値に更新する。
【００３４】
次に、マップ作成部１０は、マップ画面の更新が必要になった場合に（図２ステップＳ５においてＹＥＳ）、マップ情報を更新する（図２ステップＳ６）。
操作端末２の表示部２０は、通信処理部２３を介して更新されたマップ情報を受信すると、このマップ情報に応じたマップ画面を表示する（図２ステップＳ７）。
【００３５】
マップ画面の更新が必要になった場合としては、例えばノード構成情報が更新され、マップ画面で表示するノードの値が更新された場合がある。例えば図４の例で１Ｆ照明電力１００ｋＷが１２０ｋＷに増加した場合には、１Ｆ照明電力を表すノードの値が１２０ｋＷに変わったマップ画面に更新されることになる。
【００３６】
また、マップ画面の更新が必要になった別の場合としては、操作者によって中心ノードが指定された場合がある。例えば図５の（ａ）のようなマップが表示されている状態で、操作者がマップ上のノードＮＯＤ−Ｂを中心ノードとして指定すると、マップ作成部１０は、指定されたノードＮＯＤ−Ｂが中心ノードになるようにマップ情報を更新する（図５の（ｂ））。
【００３７】
また、マップ画面の更新が必要になった別の場合としては、操作者によってマップの折り畳みが指定された場合がある。例えば図４のようなマップ画面が表示されている状態で、操作者が“建物・区画”という名称のノードＮＯＤの下の“２Ｆ”、“３Ｆ”という名称のノードＮＯＤをマップ画面上で選択して折り畳みを指定し、また“エネルギー用途”という名称のノードＮＯＤの下の“照明”、“空調”、“生産”という名称のノードＮＯＤをマップ画面上で選択して折り畳みを指定し、さらに“エネルギー種別”という名称のノードＮＯＤの下の“電気”、“ガス”、“水道”という名称のノードＮＯＤをマップ画面上で選択して折り畳みを指定すると、マップ作成部１０は、折り畳みが指定されたノードＮＯＤよりも下の階層の表示が省略されるようにマップ情報を更新する。これにより、図６に示すようなマップ画面が表示される。こうして、操作者が見たい部分のみを表示することにより、データを見易くすることができる。
【００３８】
また、ノードの中には、処理を実行することができる処理ノードが存在する。処理ノードは、処理を実行するためのパラメータを持つ。処理ノードのパラメータは、親ノードの属性と紐づけることができる。
【００３９】
画面操作処理部１１は、操作者から処理ノードに対して処理実行を要求された際に、処理ノードの処理定義情報で定義された親ノードの属性値があれば、図７の（ａ）に示すように親ノードＮＯＤ−Ａが有する値ＶＡを処理ノードＮＯＤ−Ｘの処理実行時のパラメータとして取り込み、処理定義情報で定義された処理を実行する（ステップＳ４）。
【００４０】
また、画面操作処理部１１は、操作者から処理ノードＮＯＤ−Ｘに対して処理実行を要求された際に、処理ノードの処理定義情報で親ノードの属性との関連付けが定義されていない場合には、親ノードが有する値の取り込みはせずに、処理定義情報で定義された処理を実行する（ステップＳ４）。
【００４１】
例えば図７の（ｂ）の例では、マップ作成部１０は、処理定義情報に基づいて、処理ノードＮＯＤ−Ｘに数値入力ボックスが表示されるようにマップ情報を作成する。画面操作処理部１１は、処理ノードＮＯＤ−Ｘの数値入力ボックスに入力された値を、処理ノードＮＯＤ−Ｘの処理実行時のパラメータとして取り込み、処理定義情報で定義された処理を実行する。この数値入力ボックスに入力される値が監視・制御システム３の設定値であれば、上記のように設定値が更新される。
【００４２】
図８に示す例は、“１Ｆ”という名称のノードＮＯＤの下の“設定温度”という名称のノードＮＯＤの下に、“室温設定操作”という名称の処理ノードＮＯＤ−Ｘを定義したものである。このノードＮＯＤ−Ｘは、操作者がマップ画面上に表示されたキーをクリックすることで、設定温度を入力できるように処理定義情報が定義されたものである。操作者が設定温度を入力すると、画面操作処理部１１は、“１Ｆ”という名称のノードＮＯＤの下の“設定温度”という名称のノードＮＯＤの値を、操作者から入力された値に更新する処理を行う（ステップＳ４）。また、画面操作処理部１１は、監視・制御システム３に対して指示情報を送信し、処理ノードに対応する管理ポイントの値（１Ｆ設定温度）を変更させる。
【００４３】
さらに、マップ作成部１０は、操作者から入力される設定温度の値が変わる度に、“１Ｆ”という名称のノードＮＯＤの下の“設定温度”という名称のノードＮＯＤの値が変わるように、マップ情報を更新する（ステップＳ６）。
こうして、１Ｆ室温温度を見た操作者が、処理ノードＮＯＤ−Ｘを通じて１Ｆの設定温度を変更する操作を容易に行うことができ、かつ操作ミスを防止することができる。
【００４４】
また、本実施例では、既に定義済みのノードを仮想ノードとして定義することが可能である。例えば図９の（ａ）に示すようにノードＮＯＤ−Ａ，ＮＯＤ−Ｂ，ＮＯＤ−Ｃが定義されている状態で、図９の（ｂ）、（ｃ）に示すようにノードＮＯＤ−Ｂを中心ノードＮＯＤ−Ｏの下の仮想ノードとして定義することができる。この仮想ノードとしての定義は、上記の参照タイプ情報を定義することによって実現できる。
【００４５】
このとき、仮想ノードとして親ノードを参照することを定義するだけでなく、この仮想ノードの下のノード構成も仮想ノードとして引き継ぐか、対象ノードのみを仮想ノードとして定義するかを選択できる。
図９の（ｂ）の例は、ノードＮＯＤ−Ｂを仮想ノードとし、このノードＮＯＤ−Ｂの下のノード構成も仮想ノードとして引き継ぐという参照タイプ情報が定義された場合を示している。したがって、ノードＮＯＤ−Ｂの下のノードＮＯＤ−Ｃも仮想ノードとなる。
【００４６】
ノードＮＯＤ−Ｂについては、自ノードが実ノードとして親ノードを参照する場合の参照元ノードＩＤ（ノードＮＯＤ−ＡのＩＤ）と、自ノードが仮想ノードとして親ノードを参照する場合の参照元ノードＩＤ（ノードＮＯＤ−ＯのＩＤ）の両方が定義される。
なお、このように仮想ノードの下のノード構成も仮想ノードとして引き継ぐ場合、最も上位の仮想ノードについて参照タイプ情報を定義しておけば、下位の仮想ノードについて参照タイプ情報を定義する必要はない。
一方、図９の（ｃ）の例は、ノードＮＯＤ−Ｂのみを仮想ノードとする参照タイプ情報が定義された場合を示している。
【００４７】
仮想ノードを定義すると、マップに表示されているノードが、仮想ノードとして参照する場合の親ノードを中心ノードとして表示させることが可能である。
例えば図１０の（ａ）のようなマップが表示されている状態で、操作者がマップ上のノードＮＯＤ−Ｃの別の親ノードを中心ノードに切り替えるように指定すると、マップ作成部１０は、指定されたノードＮＯＤ−Ｃのノード参照情報を参照して、ノードＮＯＤ−Ｃが仮想ノードとして親ノードを参照する場合の参照元ノードＩＤを取得し、この参照元ノードＩＤが示す親ノードが中心ノードになるように、マップ情報を更新する（ステップＳ６）。
【００４８】
図１０の（ｂ）の例では、ノードＮＯＤ−Ｃが仮想ノードとして親ノードを参照する場合の参照元ノードＩＤとしてノードＮＯＤ−Ａ２のＩＤが定義されていたので、ノードＮＯＤ−Ａ２が中心ノードになるようにマップが更新される。
【００４９】
また、仮想ノードを定義すると、別のノードに容易に関連付けすることが可能である。例えば図６に示したようなマップに対して、さらに“テナントＡ”という名称のノードをノード構成情報で定義したとする。そして、既に定義済みの“１Ｆ”という名称のノードが仮想ノードとして“テナントＡ”という名称の親ノードを参照し、かつ“１Ｆ”という名称のノードの下のノード構成も仮想ノードとして引き継ぐというノード参照情報を、“１Ｆ”という名称のノードについて定義したとする。この場合、操作者が“テナントＡ”という名称のノードをクリックすると、このノードの下の仮想ノード構成がマップに表示される（図１１）。
こうして、ＸＸビルの１Ｆフロアを借りているテナントＡの管理者用の構造として、１Ｆのデータのみを“テナントＡ”という名称のノードに自動的に関連付けすることができる。
【００５０】
また、本実施例では、あるノードと同じ名称を有する別のノードの親ノードを中心ノードに切り替えることが可能である。
例えば図１２のようなマップ画面４０が表示されている状態で、操作者がマップ上の“建物・区画”という名称のノードＮＯＤを中心ノードとして指定すると、上記と同様に、マップ作成部１０は、指定されたノードＮＯＤが中心ノードＮＯＤ−Ｏになるようにマップ情報を更新する（図１３）。
【００５１】
そして、図１３のようなマップ画面４０が表示されている状態で、操作者がマップ上の“２Ｆ水道使用量”という名称のノードＮＯＤ−２ＦＷの横に表示されているリンクボタンＬＢをクリックし、このノードＮＯＤ−２ＦＷと同じ名称を有する別のノードの親ノードを中心ノードに切り替えるように指定したとする。この場合、マップ作成部１０は、ノード構成情報を参照して、ノードＮＯＤ−２ＦＷと同じ名称を有する別のノードを探索し、探索したノードの親ノードが中心ノードになるようにマップ情報を更新する。
【００５２】
こうして、マップ画面４０は図１４のように更新される。図１４では、ノードＮＯＤ−２ＦＷと同じ名称を有する別のノードＮＯＤ−２ＦＷ’（“エネルギー種別”の下の“２Ｆ水道使用量”という名称のノード）にたどり着き、このノードＮＯＤ−２ＦＷ’の親の“水道”という名称のノードが中心ノードＮＯＤ−Ｏになった状態を示している。こうして、本実施例では、異なる親ノードの下に関連付けられた同じ名称の別ノード間をジャンプすることにより、異なる構造（見方）のデータに辿りつくことが容易となる。
【００５３】
なお、図１２〜図１４では記載を容易にするため、一部のノードにのみリンクボタンＬＢを表示するようにしたが、マップ作成部１０は、全てのノードにリンクボタンＬＢが表示されるようにマップ情報を作成してもよい。
【００５４】
本実施例で説明した監視装置１は、ＣＰＵ（Central Processing Unit）、記憶装置及びインターフェースを備えたコンピュータと、これらのハードウェア資源を制御するプログラムによって実現することができる。このコンピュータの構成例を図１５に示す。コンピュータは、ＣＰＵ２００と、記憶装置２０１と、インターフェース装置（以下、Ｉ／Ｆと略する）２０２とを備えている。Ｉ／Ｆ２０２には、通信処理部１３の少なくとも一部を構成する通信回路等が接続される。このようなコンピュータにおいて、本発明の管理方法を実現させるためのプログラムは記憶装置２０１に格納される。ＣＰＵ２００は、記憶装置２０１に格納されたプログラムに従って本実施例で説明した処理を実行する。操作端末２と監視・制御システム３のそれぞれについても、周知のとおりコンピュータとプログラムによって実現することができる。
また、本実施例では、監視装置１と操作端末２とを別の装置としているが、監視装置１と操作端末２とが一体であってもよい。
【産業上の利用可能性】
【００５５】
本発明は、例えばエネルギー管理システムに適用することができる。
【符号の説明】
【００５６】
１…監視装置、２…操作端末、３…監視・制御システム、４…通信ネットワーク、５…設備機器、１０…マップ作成部、１１…画面操作処理部、１２，２２，３２…記憶部、１３，２３，３３…通信処理部、１４，３４…情報管理部、２０…表示部、２１…操作部、２２…記憶部、３０…収集部、３１…制御部。
【図１】
2020177379.tif 000003
【図２】
2020177379.tif 000004
【図３】
2020177379.tif 000005
【図４】
2020177379.tif 000006
【図５】
2020177379.tif 000007
【図６】
2020177379.tif 000008
【図７】
2020177379.tif 000009
【図８】
2020177379.tif 000010
【図９】
2020177379.tif 000011
【図１０】
2020177379.tif 000012
【図１１】
2020177379.tif 000013
【図１２】
2020177379.tif 000014
【図１３】
2020177379.tif 000015
【図１４】
2020177379.tif 000016
【図１５】
2020177379.tif 000017